(57)【要約】【課題】  受信される複数の番組を同時に記録し、そのうちの１つを選択して再生する際に、高速な早送りや早戻しに対しても滑らかな再生映像を得る記録再生方法を実現する。【解決手段】  受信される複数のストリームを記録再生部２１により記録媒体２２へ記録する際に、ストリーム情報取得部１３ａ、１３ｂにより複数のストリームに係る個別情報テーブルを取得し、ストリーム情報生成部１４により合成情報テーブルを作成し、合成情報テーブルと複数のストリーム情報とをストリーム多重部１６により時系列に並べて記録し、その中の特定ストリームの再生は、記録媒体２２に記録される合成情報テーブルの特定ストリームに係る識別情報をストリーム選定部３１により検出し、取得して再生するビットストリーム記録再生装置を実現した。【選択図】      図１
2006060655.tif 000002
【特許請求の範囲】
【請求項１】
伝送されてくる第１、第２系統のストリーム情報を記録媒体に記録し、前記記録媒体に記録されている前記第１、第２系統のストリーム情報に関する情報を再生するストリーム情報の記録再生方法において、
前記伝送されてくる第１、第２系統のストリーム情報は、前記第１、第２ストリーム情報を識別する識別情報と、音声情報と、画像情報とを少なくとも有し、
前記第１及び第２ストリーム情報のそれぞれに関する前記識別番号を１まとめにした前記識別情報部を生成し、前記識別情報部に引き続いて前記第１及び第２音声画像情報を１まとめにした音声画像情報部を生成し、１まとめにされた前記識別情報部及び前記音声画像情報部を前記記録媒体に記録することを特徴とするストリーム情報の記録再生方法。
【発明の詳細な説明】
【技術分野】
【０００１】
本発明は、複数のビットストリームをランダムアクセス可能なディジタル記録媒体に同時に記録し、その中の１つを選定して再生する多重化ストリーム情報の記録再生方法に関する。
【背景技術】
【０００２】
最近になり、ＭＰＥＧ（moving picture experts group）−２などの圧縮符号化方式により符号化されて放送されるディジタル放送はＢＳ（broadcasting satellite）放送を始めとし、ＣＳ（Communication Satellite）放送、及びディジタル地上波放送など多くがなされるようになってきた。
一方、放送番組を録画する装置もアナログＶＴＲ、ディジタルＶＴＲなどのビデオテープを記録媒体とする他に、ハードディスクやＤＶＤなどランダムアクセス可能な記録媒体に記録する番組記録装置も市場に導入されている。ランダムアクセス可能な記録媒体に記録する装置の場合では、複数の番組を同一の記録媒体に記録し、その中から希望する番組を即座に検索して再生することができるなど使用者に便利な機能を有している。
【０００３】
特許文献１には、放送され、同時に受信される複数の番組をランダムアクセス可能な記録媒体に複数のファイル形式により同時に記録する録画装置が開示されている。録画される番組ごとに番組タイトルを付し、特別のファイル名を付すことにより記録される複数の番組を識別可能とする。番組記録をＣＭ（commercial message）カットしながら記録する場合には、その番組ファイルはカットされるごとに不連続となるが、ファイル名を関連付けることによりＣＭカット時に不連続となった番組を連続して再生することを可能にしている。
【０００４】
ＭＰＥＧ−２で規定されるトランスポートストリームにより放送されるパケット化されたディジタルデータでは、パケットごとにストリームデータ管理情報が付される。そのストリームデータ管理情報を基に番組と、その番組に係るファイル名とを関連付けることができる。
特許文献２には、映像または音声を含むストリームデータを、所定のデータ量単位で分割する。ストリームデータの管理情報は、分割された各ストリームデータの管理に共通に使用されるストリームデータ管理情報と、分割された個々のストリームデータの管理に使用されるローカル管理情報とに分割される。ストリームデータ管理情報と、分割されたストリームデータにローカル管理情報を付加したアクセスユニットとをランダムアクセス可能な記録媒体に記録し、記録された管理情報を基に再生動作を行う情報記録再生装置が開示されている。
【０００５】
一方、最近の高密度記録媒体は記録ビットレート及び記録容量が大きく増加した。ＨＤＴＶ（High Definition TV）信号の記録はもとより、複数チャンネルのＳＤＴＶ（standard definition television）信号の同時記録も可能になってきた。例えば、特許文献１や特許文献２のデータ管理手法を用い、同時に受信される映像信号を同時に記録が可能である。ゴールデンアワーに放送されるいわゆる表番組と裏番組を同時に記録し、タイムシフトして視聴することが可能である。
【特許文献１】特開２００１−１９７４１３号公報
【特許文献２】特開２００３−２２８９２１号公報
【発明の開示】
【発明が解決しようとする課題】
【０００６】
しかしながら、番組ごとに異なるファイル名を付して複数の番組を記録媒体に同時記録し、記録された複数の番組のうちの指定する１つの番組のみを早送りにより再生しようとする場合にはスムーズな再生映像を得ることができない。即ち、番組ごとにファイル名を付して記録する場合では、複数番組の中のある１番組に対して連続して記録するデータサイズであるファイルサイズを小さくするとファイルの管理情報が多くなる。ＭＰＥＧ−２などで圧縮符号化されたビットストリームをファイル化するためには、そのファイルの最初から再生して映像を得られるようにするため、イントラフレーム（Ｉピクチャ）の最初から再生できるように映像信号を分割して記録する。それらにともない、ファイルサイズを大きくして記録する必要が生じる。
大きなファイルサイズで、交互に記録される番組の内の１つを指定して高速再生する場合は、目的ファイルのアクセス時間及びシーク時間のため、特に高速再生時における映像の時間関係が不規則となる。タイムシフトによる視聴では、記録した番組のスムースな早送りや早戻し映像を得ることが重要である。
【０００７】
そこで、本発明は、上記のような問題点を解消するためになされたもので、受信される複数の番組を同時に記録すると共に、記録した複数の番組のうちの１つを選択して再生する際に、高速な早送りや早戻しを動きの滑らかな映像信号により再生することのできるストリーム情報の記録再生方法を提供することを目的とする。
【課題を解決するための手段】
【０００８】
本願発明は、伝送されてくる第１、第２系統のストリーム情報を記録媒体に記録し、前記記録媒体に記録されている前記第１、第２系統のストリーム情報に関する情報を再生するストリーム情報の記録再生方法において、前記伝送されてくる第１、第２系統のストリーム情報は、前記第１、第２ストリーム情報を識別する識別情報と、音声情報と、画像情報とを少なくとも有し、前記第１及び第２ストリーム情報のそれぞれに関する前記識別番号を１まとめにした前記識別情報部を生成し、前記識別情報部に引き続いて前記第１及び第２音声画像情報を１まとめにした音声画像情報部を生成し、１まとめにされた前記識別情報部及び前記音声画像情報部を前記記録媒体に記録することを特徴とするストリーム情報の記録再生方法を提供する。
【発明の効果】
【０００９】
本発明によれば、伝送されてくる第１、第２系統のストリーム情報を記録媒体に記録し、前記記録媒体に記録されている前記第１、第２系統のストリーム情報に関する情報を再生するストリーム情報の記録再生方法において、前記伝送されてくる第１、第２系統のストリーム情報は、前記第１、第２ストリーム情報を識別する識別情報と、音声情報と、画像情報とを少なくとも有し、前記第１及び第２ストリーム情報のそれぞれに関する前記識別番号を１まとめにした前記識別情報部を生成し、前記識別情報部に引き続いて前記第１及び第２音声画像情報を１まとめにした音声画像情報部を生成し、１まとめにされた前記識別情報部及び前記音声画像情報部を前記記録媒体に記録する格別な手順を有しているので、受信される複数の番組を同時に記録すると共に、記録した複数の番組のうちの１つを選択して再生する際に、特に高速な早送りや早戻しを動きの滑らかな映像信号により再生することのできるストリーム情報の記録再生方法を提供することができる。
【発明を実施するための最良の形態】
【００１０】
以下に本発明の各実施例に係るストリーム情報の記録再生方法について図１〜図５を用いて説明する。
図１は、本発明の実施に係るビットストリーム記録再生装置の構成例を示すブロック図である。
図２は、本発明の実施に係るストリームグループ構成情報の記述例を示す図である。
図３は、本発明の実施に係るストリーム情報の動作に係る時間関係の例を示す図である。
図４は、本発明の実施に係る合成ストリームグループ構成情報の記述例を示す図である。
図５は、本発明の実施に係るストリームグループ構成情報の置換記録を示す図である。
【００１１】
本実施例の形態に係るビットストリーム記録再生装置は、同時に記録する複数の番組に係るストリームグループ構成情報のそれぞれを基に合成ストリームグループ構成情報を生成し、生成された合成ストリームグループ構成情報をそれぞれの番組のビットストリームに付して記録する。複数記録された番組のうちの１つの番組の再生は、同時に記録した全てのビットストリームから合成ストリームグループ構成情報を基に目的の番組に係るビットストリームを取得して再生するようにし、目的のビットストリームを取得するためのアクセス動作やシーク動作を不要とし、選択した１つの番組の高速な早送りや早戻し再生を可能にするビットストリーム記録再生装置を実現したものである。
【００１２】
ビットストリーム記録再生装置の構成について述べる。
図１に示すビットストリーム記録再生装置は、ＢＳ（broadcasting satellite）チューナ１１ａ、地上波ディジタルチューナ１１ｂ、ストリームバッファ１２ａ、１２ｂ、ストリーム情報取得部１３ａ、１３ｂ、ストリーム情報生成部１４、ストリーム情報置換部１５ａ、１５ｂ、ストリーム多重部１６、記録再生部２１、記録媒体２２、駆動部２３、ストリーム選定部３１、復号化部３２、及び操作部４１から構成される。ＢＳチューナ１１ａには衛星アンテナが、地上波ディジタルチューナ１１ｂにはＵＨＦ（ultra high frequency）アンテナが接続される。復号化部３２からはストリームを復号して得られる映像信号や音声信号が出力される。操作部４１を介してビットストリーム記録再生装置の操作を行う。
【００１３】
ビットストリーム記録再生装置の動作について述べる。
まず、操作部４１を操作してＢＳチューナ１１ａ及び地上波ディジタルチューナ１１ｂで同時に受信される番組の録画予約を行う。予約された時刻が到来し、ＢＳチューナ１１ａにより受信して得られるＭＰＥＧ−２ＴＳ（Transport Stream）の信号形式によるビットストリームはストリームバッファ１２ａに入力され、そこに一時記憶されると共に、地上波ディジタルチューナ１１ｂで受信して得られるビットストリームはストリームバッファ１２ｂに入力され、そこに一時記憶される。ストリーム情報取得部１３ａは、ストリームバッファ１２ａに記憶されているビットストリームより受信される放送番組に係るＰＡＴ（Program Association Table）情報を取得する。ストリーム情報取得部１３ｂはストリームバッファ１２ｂからＰＡＴ情報を取得する。ストリーム情報取得部１３ａ、及びストリーム情報取得部１３ｂで取得されたＰＡＴ情報はストリーム情報生成部１４に入力される。そこでは、同時に受信される衛星放送番組及び地上波ディジタル放送番組の両者のＰＡＴ情報が合成されて合成ＰＡＴ情報が生成される。
【００１４】
ストリーム情報置換部１５ａでは衛星放送番組に付されるＰＡＴ情報が合成ＰＡＴ情報に置換され、ストリーム情報置換部１５ｂでは地上波ディジタル放送番組に付されるＰＡＴ情報が合成ＰＡＴ情報に置換される。それぞれのＰＡＴ情報が置換された衛星放送番組の置換ビットストリーム及び地上波ディジタル放送番組の置換ビットストリームはストリーム多重部１６に入力される。そこでは２つの置換ビットストリームは多重化（ＭＵＸ：multiplex）される。多重化された２つの置換ビットストリームは記録再生部２１で所定の信号処理がなされて駆動部２３により回転駆動される記録媒体２２に記録される。
【００１５】
使用者は操作部４１を操作し、記録した衛星放送番組又は地上波ディジタル放送番組のいずれか一方を選択して再生動作を行う。駆動部２３により高速回転される記録媒体２２から記録された２つの置換ビットストリームが記録再生部２１を介して再生される。再生して得られた信号はストリーム選定部３１で選択された方の番組に係る置換ビットストリームを取得する。復号化部３２では取得されたビットストリームは復号化され、復号化して得られた映像信号や音声信号は図示しない表示器に入力され、そこに表示、発音される。
【００１６】
使用者により早送り再生操作がなされたときは、高速回転される記録媒体２２から再生される２つの置換ビットストリームのうち選択された方の番組に係る、イントラフレームの記録されるビットストリームのみを取得する。復号化部３２は高速再生映像を生成して出力する。ここで、記録媒体２２に記録される２つの置換ビットストリームのそれぞれは番組ごとに領域を設定して記録するファイル構造を用いることなく、所定のデータサイズでパケット化されたビットストリームとして記録されるため、例えばイントラフレームの記録されるビットストリームのみの取得動作も記録媒体２２の記録領域をランダムアクセスしたりシークしたりすることなく再生できる。従って、高速再生時に得られるビットストリームに空き時間が生じることがない。スムーズな動作の高速再生映像が得られる。
【００１７】
次に、詳細に説明する。
図２に示すストリームグループ構成情報は、（ａ）に衛星放送を受信して得られるビットストリームの構成を、（ｂ）に地上波ディジタル放送を受信して得られるビットストリームの構成を示している。即ち、（ａ）のストリームグループ構成情報（チャンネル１）Ａ１はストリームＩＤ（Identification）がａ１である映像信号と、ストリームＩＤがａ２である音声信号、及び映像及び音声信号の同期再生に係る情報であるクロックＩＤのａｃからなっている。（ｂ）のストリームグループ構成情報（チャンネル２）Ｂ１はストリームＩＤ（Identification）がｂ１である映像信号と、ストリームＩＤがｂ２である音声信号、及び映像及び音声信号の同期再生に係る情報であるクロックＩＤのｂｃからなっている。
【００１８】
図３は衛星放送及び地上波ディジタル放送を受信して得られるビットストリームを記録する場合の時間関係の例を示している。
放送されるＭＰＥＧ−２トランスポートストリームからは、ＰＡＴ（Program Association Table）に続けて映像や音声のストリーム、及びクロック情報が受信される。時刻ｔ１から衛星放送の記録を開始する。時刻ｔ２までに受信されるＡ１のＰＡＴがストリームバッファ１２ａに入力される。その後、受信されるクロック情報ａｃ［０］、ストリームａ１［１］、・・・、ストリームａ２［５］の順にストリームバッファ１２ａに一時記憶される。
時刻ｔ３から地上波ディジタル放送の記録を開始する。時刻ｔ４までに受信されるＢ１のＰＡＴがストリームバッファ１２ｂに入力される。受信されるクロック情報ｂｃ［５０］、ストリームｂ１［５１］、ストリームｂ２［５２］、・・・の順にストリームバッファ１２ｂに順次一時記憶される。
【００１９】
時刻ｔ４において、２つのビットストリームが記録媒体２２に記録されることが確定される。そこでストリーム情報生成部１４はストリーム情報取得部１３ａ、及び１３ｂのそれぞれから得られるストリーム構成情報（ＰＡＴＡ１）及びストリーム構成情報（ＰＡＴＢ１）を合成して合成ストリーム構成情報を作成する。ストリームバッファ１２ａに一時記憶されているストリームグループ構成情報（ＰＡＴ）があるときには、そのストリーム構成情報がストリーム情報置換部１５ａを介してストリーム多重部１６に入力されるときに合成ストリーム構成情報に置換される。ストリームバッファ１２ｂに一時記憶されるストリームグループ構成情報も同様に置換される。ストリーム多重部１６で多重化された２つのビットストリームは番組ごとにファイルとして形成されることなく、１つの多重化ストリームとして記録媒体２２に記録される。
【００２０】
時刻ｔ７において衛星放送の記録が終了するときはストリーム構成情報（ＰＡＴＡ１）及びそれに続くストリームａ１［１０］以降の記録を行わない。ストリーム情報生成部１４における合成ストリーム構成情報の生成は１つの記録番組に係る合成ストリーム構成情報として生成される。
時刻ｔ１０において再度衛星放送の記録が再開されたときには、上記の合成ストリーム構成情報の生成および置換を再開する。
【００２１】
図４に示される（ａ）〜（ｄ）の合成ストリーム構成情報は、それぞれの時刻における合成ストリーム構成情報の構造を示したものである。（ａ）は時刻ｔ２において生成される合成ストリーム構成情報Ｄ０であり、その情報はプログラムＩＤが１とされ映像ストリームのＩＤはａ１、音声ストリームのＩＤはａ２、同期情報ＩＤはａｃとされる。
（ｂ）は時刻ｔ４において生成される合成ストリーム構成情報Ｄ１である。その情報は映像ストリームのＩＤがａ１、音声ストリームのＩＤがａ２、及び同期情報のＩＤがａｃとされるプログラムＩＤ１のストリームと、映像ストリームのＩＤがｂ１、音声ストリームのＩＤがｂ２、及び同期情報のＩＤがｂｃとされるプログラムＩＤ２のストリームとよりなっている。
（ｃ）は時刻ｔ８において生成される合成ストリーム構成情報Ｄ２であり、合成ストリーム構成情報Ｄ１に比して記録の終了されたプログラムＩＤ１の情報が記述されていない。
（ｄ）の合成ストリーム構成情報Ｄ３は時刻ｔ１１において、プログラムＩＤが３とされる映像ストリームのＩＤがａ１、音声ストリームのＩＤがａ２、同期情報ＩＤがａｃであるプログラムＩＤ３のストリームが追加された情報である。
【００２２】
図５は記録媒体２２に記録されたパケットの配置を示したものである。（ａ）は衛星放送の記録が開始される時刻ｔ２から地上波ディジタル放送の記録開始時刻ｔ４の手前までの間に記録されるパケットの状態を示している。ストリームグループ構成情報Ａは合成ストリーム構成情報Ｄ０に置換され、受信された同期用クロック情報ａｃ、映像ストリームａ１、及び音声ストリームａ２が続けて記録されている。
（ｂ）は時刻ｔ４以降に新たに記録されるプログラムＩＤ２の番組と、記録を継続しているプログラムＩＤ１の番組の両者のストリームグループ情報Ａ１及びＢ１を共通の合成ストリーム構成情報Ｄ１に置換して記録するパケットの状態である。クロック情報、映像ストリーム及び音声ストリームは受信される信号を多重化して記録している。
（ｃ）はストリームグループ構成情報Ｂ１が、プログラムＩＤが２とされる合成ストリーム構成情報に置換されて記録されるパケットの状態を示している。
【００２３】
再生動作は得られる合成ストリーム構成情報を基に、再生するプログラムＩＤ、映像、音声のストリーム情報及び同期情報を識別符号を基に取得して再生する。また、合成ストリーム構成情報に複数のプログラムＩＤが記述されているときにはそれらの複数のプログラムを切り替えながら、いわゆるチャンネルホッピングを行いながら再生することができる。使用者は、必要に応じて図示しない表示器に表示される複数のプログラム情報を基に嗜好する方の番組を選定して再生できる。
【００２４】
なお、実施例では受信される衛星放送及びディジタル地上放送の両者を同時記録して片方を再生する動作について述べた。衛星放送やディジタル地上放送受信用チューナを複数有している場合には、例えば複数の衛星放送番組を同時に記録し、一方を再生することができる。
１つの放送チャンネルで複数の番組が同時に放送される場合も、同様に複数の番組を記録し、希望する番組を選定して再生できる。
【００２５】
同時に受信される番組がＳＤＴＶ（standard definition television）やＨＤＴＶ（High Definition Television）である場合、さらには高圧縮低ビットレートのＳＤＴＶと低圧縮高レーとのＨＤＴＶの信号として記録する場合であっても、それらを同時に記録し、一方のみを選定して正常な再生、及びスムーズな高速再生映像を得ることができる。
また、アナログ放送を受信し、圧縮符号化及びトランスポートストリーム信号として生成し、同時に受信されるディジタル放送と共に記録することも可能である。その場合は、ストリーム情報を尾取得する代わりにストリームグループ構成情報を作成し、その後に合成ストリーム構成情報を生成する。重複しないストリームＩＤを用いてストリームグループ構成情報を作成する必要がある。
【００２６】
本実施例で示したビットストリーム記録再生装置によれば、送信されてくる複数のストリーム情報を記録媒体２２に記録し、前記記録媒体２２に記録されている前記複数のストリーム情報の中から特定のストリーム情報を再生するストリーム情報の記録再生方法において、前記記録媒体２２への記録再生部２１による記録は、それぞれのストリーム情報取得部１３ａ、１３ｂにより前記複数のストリーム情報のそれぞれから複数の個別情報テーブルを取得した後、前記複数の個別情報テーブルをストリーム情報生成部１４により合成して合成情報テーブルを作成し、更に、前記合成情報テーブルと前記複数のストリーム情報とをストリーム多重部１６により時系列に並べ替えるようにして複数のストリーム情報の記録を行い、前記特定のストリーム情報の再生は、前記記録媒体２２に時系列に記録されている前記合成情報テーブルに記述される前記特定のストリーム情報の識別情報をストリーム選定部３１により検出して行う格別な構成を有しているので、それぞれのストリーム情報は異なるファイル構造によらないで、受信される複数の番組を同時に記録すると共に、記録した複数の番組のうちの１つを選択して再生する際に、アクセス動作やシーク動作を行わないため、早送りや早戻し画像を動きの滑らかな映像信号により再生することができる。
【産業上の利用可能性】
【００２７】
受信される複数の放送番組を同時に記録し、その中から１つの番組を選定して再生する記録再生装置に適用できる。
【図面の簡単な説明】
【００２８】
【図１】本発明の実施に係るビットストリーム記録再生装置の構成例を示すブロック図である。
【図２】本発明の実施に係るストリームグループ構成情報の記述例を示す図である。
【図３】本発明の実施に係るストリーム情報の動作に係る時間関係の例を示す図である。
【図４】本発明の実施に係る合成ストリームグループ構成情報の記述例を示す図である。
【図５】本発明の実施に係るストリームグループ構成情報の置換記録を示す図である。
【符号の説明】
【００２９】
１１ａ    ＢＳチューナ
１１ｂ    地上波ディジタルチューナ
１２ａ、１２ｂ    ストリームバッファ
１３ａ、１３ｂ    ストリーム情報取得部
１４    ストリーム情報生成部
１５ａ、１５ｂ    ストリーム情報置換部
１６    ストリーム多重部
２１    記録再生部
２２    記録媒体
２３    駆動部
３１    ストリーム選定部
３２    復号化部
４１    操作部
【図１】
2006060655.tif 000003
【図２】
2006060655.tif 000004
【図３】
2006060655.tif 000005
【図４】
2006060655.tif 000006
【図５】
2006060655.tif 000007